(57)【要約】【課題】照明器具の小型化を実現でき、ＬＥＤモジュールのジャンクション温度を素早く下げることができる地中埋込型の照明器具を提供する。【解決手段】上面部に開口部１１ａが形成された、有底筒状の埋込本体部１１と、埋込本体部１１の内部に収容されるカップ状の光源収容部２２と、光源収容部２２の内部に収容されるＬＥＤを用いた光源モジュール２１と、埋込本体部１１の開口部１１ａに嵌合される環状枠体部１４と、環状枠体部１４に装着される透光パネル部１２と、透光パネル部１２を環状枠体部１４に固定する環状部材１３と、を有し、光源収容部２２は、熱伝導性に優れた材質から形成され、その底部２２ａに光源モジュール２１が載置されると共に、光源収容部２２の上端開口部２２ｂの開口縁部２２ｃが、環状部材１３の下面部１３ａに当接されている。【選択図】図２
2019067552.tif 000002
【特許請求の範囲】
【請求項１】
上面部に開口部が形成された、有底筒状の埋込本体部と、
前記埋込本体部の内部に収容されるカップ状の光源収容部と、
前記光源収容部の内部に収容されるＬＥＤを用いた光源モジュールと、
前記埋込本体部の前記開口部に取り付けられる環状枠体部と、
前記環状枠体部に装着される透光パネル部と、
前記透光パネル部を前記環状枠体部に固定する環状部材と、を有し、
前記光源収容部は、熱伝導性に優れた材質から形成され、その底部に前記光源モジュールが載置されると共に、前記光源収容部の上端開口部の開口縁部が、前記環状部材の下面部に当接されていることを特徴とする照明器具。
【請求項２】
前記埋込本体部の前記開口部に嵌合される環状枠体部を有し、
前記光源収容部の上端開口部が段状に形成され、前記環状枠体部と前記透光パネル部との間で挟持されることを特徴とする請求項１に記載の照明器具。
【発明の詳細な説明】
【技術分野】
【０００１】
本発明は、照明器具、特に、ＬＥＤを光源とする地中埋込型の照明器具に関する。
【背景技術】
【０００２】
従来、地中に埋込配設されて上方に向けて光を照射する地中埋込型の照明器具が存在している。例えば、特許文献１に開示された地中埋込照明器具は、ＬＥＤが表面上に位置決めされた支持体が、内側筐体内に収容されている。
【０００３】
ここで、地中埋込型の照明器具は、その構造上、放熱性能は地中に埋設された器具ボックスからの地中への熱伝導、及び地上面からの熱放出の２つによって決定される。さらに
、光源モジュールを構成するＬＥＤの発光により生じる熱によって、ＬＥＤの寿命を縮めることが知られていた。そこで、光源にＬＥＤモジュールを用いた照明器具は、ＬＥＤの内部温度（以下、ジャンクション温度という。）の温度上昇を抑えるための構造が工夫されてきた。
【先行技術文献】
【特許文献】
【０００４】
【特許文献１】特表２０１２−５０２４３１号公報
【発明の概要】
【発明が解決しようとする課題】
【０００５】
しかしながら、特許文献１に開示されるような地中埋込照明器具は、ＬＥＤを支持する支持体は、内側筐体内で、その傾きを自在に移動可能な構造であり、すなわちＬＥＤを支持する支持体が内側筐体に固定されていない構造であることから、ＬＥＤから生じた熱の内側筐体への熱伝導性は低下する構造となっていた。よって、特許文献１に開示されるような地中埋込照明器具の構造では、一度温度上昇したＬＥＤモジュールのジャンクション温度は下がりにくく、例えばＬＥＤから照射される光が弱くなる、ＬＥＤの寿命が縮むといった不具合が生じていた。また、ＬＥＤモジュールのジャンクション温度を下げるための構成として、図４に示すような地中埋込照明器具１は、器具本体部２に収容されたＬＥＤモジュール３の下部にヒートシンク４を設けることにより、ＬＥＤモジュール３から生じる熱を放熱させる構成が開発されてきたが、器具本体部２の内部は密閉空間であることから、器具本体部２の内部では空気の対流が生じにくく、十分な放熱効果が得られなかった。
【０００６】
本発明は、上記課題に鑑みて、ＬＥＤモジュールのジャンクション温度の温度上昇を抑えることができる地中埋込型の照明器具を提供することにある。
【課題を解決するための手段】
【０００７】
上記課題を解決するためになされた本発明の照明器具は、上面部に開口部が形成された、有底筒状の埋込本体部と、前記埋込本体部の内部に収容されるカップ状の光源収容部と、前記光源収容部の内部に収容されるＬＥＤを用いた光源モジュールと、前記埋込本体部の前記開口部に取り付けられる環状枠体部と、前記環状枠体部に装着される透光パネル部と、前記透光パネル部を前記環状枠体部に固定する環状部材と、を有し、前記光源収容部は、熱伝導性に優れた材質から形成され、その底部に前記光源モジュールが載置されると共に、前記光源収容部の上端開口部の開口縁部が、前記環状部材の下面部に当接されている。
この構成により、照明器具の小型化を実現でき、ＬＥＤモジュールのジャンクション温度の温度上昇を抑えることができる。
【０００８】
また、本発明の照明器具は、前記埋込本体部の前記開口部に嵌合される環状枠体部を有し、前記光源収容部の上端開口部が段状に形成され、前記環状枠体部と前記透光パネル部との間で挟持されることを特徴とする。
この構成により、照明器具内部の密閉性を高めることができる。
【発明の効果】
【０００９】
本発明の照明器具は、照明器具の小型化を実現でき、ＬＥＤモジュールのジャンクション温度の温度上昇を抑えることができる。
【図面の簡単な説明】
【００１０】
【図１】本発明に係る実施形態の照明器具の全体斜視図である。
【図２】本発明に係る実施形態の照明器具の全体断面図である。
【図３】本発明に係る実施形態の照明器具の部分断面図である。
【図４】従来の地中埋込型の照明器具の断面図である。
【発明を実施するための最良の形態】
【００１１】
以下、本発明に係る実施形態の照明器具を図１〜３に基づいて説明する。図１は、本発明に係る実施形態の照明器具の全体斜視図である。また、図２は、本発明に係る実施形態の照明器具の全体断面図である。さらに、図３は、本発明に係る実施形態の照明器具の部分断面図である。
【００１２】
本発明に係る実施形態の照明器具１０は、例えば地中に埋込配設され、地面から上方に向けて光を照射する地中埋込型の照明器具である。
【００１３】
照明器具１０は、図１、２に示すように、上面部に開口部１１ａが形成された、有底筒状の埋込本体部１１と、埋込本体部１１の内部に収容されるカップ状の光源収容部２２と、光源収容部２２の内部に収容されるＬＥＤ２１ａを用いた光源モジュール２１と、埋込本体部１１の開口部１１ａに取り付けられる環状枠体部１４と、環状枠体部１４に装着される透光パネル部１２と、透光パネル部１２を環状枠体部１４に固定する環状部材１３とを有する。また、図３中のＧ．Ｌ．は、グランドラインであり、地面高さを示し、照明器具１０は、地面から透光パネル部１２、及び環状部材１３の上面が地上に露出するよう地中に埋込配設されている。
【００１４】
埋込本体部１１は、その内部に光源収容部２２を収容できる内部空間Ｓ１が形成されている。内部空間Ｓ１は、光源収容部２２に加え、図示しないが、光源モジュール２１と電気的接続されたバッテリ等の電源部や、当該電源部へ接続される配線等が収容されている。また、埋込本体部１１の外部から、電源ケーブルを通じて電力を供給する構成としてもよい。
【００１５】
また、埋込本体部１１の開口部１１ａに環状枠体部１４が取り付けられた状態で、開口部１１ａから光源モジュール２１及び光源収容部２２を取り出すことができる構成とすることにより、光源モジュール２１の点検や修理の際に地中に埋込された照明器具１０を掘り出す必要がなく、作業効率が向上する。
【００１６】
透光パネル部１２は、光源モジュール２１の照射方向に配置され、埋込本体部１１の開口部１１ａを閉塞する。透光パネル部１２が埋込本体部１１の開口部１１ａを閉塞することにより、雨水や異物が埋込本体部１１内部への浸入を防止すると共に、光源モジュール２１を保護することができる。
【００１７】
本実施形態では、透光パネル部１２は、埋込本体部１１の開口部１１ａに取り付けられた環状枠体部１４内に載置される。そして、透光パネル部１２は、透光パネル部１２と環状枠体部１４との間に生じた隙間に、止水部材であるパッキン１５を介して、環状部材１３が嵌合され、ボルト等によって、固定される。ここで、パッキン１５は、弾性材料である合成ゴム等から形成されており、透光パネル部１２と環状枠体部１３との間に生じた隙間が閉塞され、埋込本体部１１内への雨水の浸入や、小石等の異物混入を防止することができる。
【００１８】
また、透光パネル部１２は、強化ガラス、樹脂等で形成されており、光源モジュール２１から照射された光を地上へ透過させる一方、通行人に踏まれる等の上方からの衝撃に耐えることができる。なお、透光パネル部１２は、光拡散性を有する材質や形状としてもよく、光源モジュール２１から照射された光をより広範囲に拡散することができる。
【００１９】
光源モジュール２１は、例えば、ＬＥＤ２１ａとＬＥＤ２１ａを保持する外郭から構成されたＬＥＤモジュールである。なお、ＬＥＤ２１ａは、例えば一個、又は複数個の光学レンズに覆われたＬＥＤ素子から構成され、ＬＥＤ基板上に実装されている。
【００２０】
また、光源モジュール２１は、その照射方向が埋込本体部１１の開口部１１ａの方向となるように埋込本体部１１内へ収容される。
【００２１】
光源収容部２２は、光源モジュール２１を内部に収容するカップ状に形成されると共に、熱伝導性に優れた材質から形成される。また、光源収容部２２は、光源収容部２２の底部２２ａに光源モジュール２１が直接載置され、光源収容部２２の上端開口部２２ｂの開口縁部２２ｃが、環状部材１３の下面部１３ａに当接する。ここで、光源収容部２２の底部２２ａと光源モジュール２１とは、ビス等の締結具によって、直接面接触する構造で固定されている。さらに、光源収容部２２は、埋込本体部１１と所定距離離間した位置に配置されている。
【００２２】
ここで、光源収容部２２が、熱伝導性に優れた材質として、例えば高い熱伝導性と、柔軟性を有する材質である銅素材から形成されることにより、光源モジュール２１から生じた熱を効率よく、地表付近まで伝導させることができる。このように、光源モジュール２１から生じた熱を地表付近まで素早く熱伝導することにより、光源モジュール２１のジャンクション温度の温度上昇を抑えることができる。
【００２３】
また、光源収容部２２は、その上端開口部２２ｂが段状に形成され、環状枠体部１３と透光パネル部１２との間で挟持される。光源収容部２２の上端開口部２２ｂが、環状枠体部１３と透光パネル部１２との間で挟持されている。
【００２４】
上述した構成からなる光源モジュール２１の発光により生じた熱が熱伝導される状況について、図３に基づいて、以下説明する。図３に示す破線矢印は、光源モジュール２１から生じた熱が熱伝導する状況を示す。具体的には、先ず光源モジュール２１から生じた熱が、光源収容部２２の底部２２ａへ熱伝導される。ここで、光源モジュール２１が、光源収容部２２の底部２２ａと直接面接触していることから、光源モジュール２１から生じた熱は効率よく光源収容部２２の底部２２ａへ熱伝導される。次に、光源収容部２２の底部２２ａへ熱伝導された熱が、光源収容部２２の側面部を通って、上端開口部２２ｂから光源収容部２２の開口縁２２ｃへと伝わる。そして、光源収容部２２の開口縁２２ｃが環状部材１３の下面部１３ａに当接していることにより、光源モジュール２１から生じた熱が、光源収容部２２の開口縁２２ｃから環状部材１３へ熱伝導され、環状部材１３の上面部１３ｂから大気中へ放熱されることになる。
【００２５】
このように、光源モジュール２１から生じた熱が速やかに熱伝導され、さらに大気中へ放熱されることにより、光源モジュール２１のジャンクション温度の温度上昇を抑えることができる。光源収容部２２の底部２２ａは光源モジュール２１から生じた熱により加熱されて高温となることから、光源モジュール２１から生じた熱は、低温側である光源収容部２２の開口縁２２ｃへと熱伝導される。
【００２６】
また、光源モジュール２１は、その照射方向に配置される反射リフレクター２３を備えてもよい。反射リフレクター２３は、漏斗状に形成されており、光源モジュール２１から照射される光を反射させることができる。
【００２７】
さらに、光源モジュール２１及び光源収容部２２は、設置場所や用途に応じて、上述した構成等を適宜変更することができる。また、光源モジュール２１及び光源収容部２２は、設置場所や用途に応じた構成に予め組み立てておくことにより、照明器具１０の施工時の際、埋込本体部１１の内部に収容すればよく、各作業効率を向上させることができる。
【００２８】
本発明に係る実施形態の照明器具１０は、光源モジュール２１から生じた熱が光源モジュール２１と直接固定されている光源収容部２２の底部２２ａへ熱伝導され、さらに光源収容部２２の開口縁２２ｃから環状部材１３へ熱伝導され、環状部材１３の上面部１３ｂから大気中へ放熱されることにより、光源モジュール２１のジャンクション温度の温度上昇を抑えることができる。
【００２９】
また、本発明に係る実施形態の照明器具１０は、埋込本体部１１を内部に収容できる保護筒体２４を設けてもよい。保護筒体２４が外部から掛かる荷重に対する耐荷重強度を有する一方、埋込本体部１１が防水性能と放熱性能とを有することにより、保護筒体２４と埋込本体部１１とがそれぞれの機能に特化させる構成とすることができ、耐荷重型や軽荷重型等の目的に合わせた機能を持つ照明器具を安価で製造することができる。例えば、人が立ち入ることが少ない花壇などの荷重がかからない場所では保護筒体２４を設けなくてもよい。また、人が通過する程度の場所では軽荷重型、若しくは消防車等が通過するような場所では重荷重型として、保護筒体２４の厚さ寸法を適宜変更することにより、要求される耐荷重強度に合った照明器具とすることが可能となる。
【００３０】
本発明に係る実施形態の照明器具１０は、埋込本体部１１の内部空間Ｓ１は、気密性が確保されており、埋込本体部１１内への雨水の浸入や、小石等の異物の侵入を防止することができる。
【００３１】
また、本発明に係る実施形態の照明器具１０は、光源モジュール２１のジャンクション温度を下げるために、別途ヒートシンク等を設ける必要がなく、照明器具１０の小型化を実現することできる。
【００３２】
さらに、本発明に係る実施形態の照明器具１０は、照明器具１０の小型化により、照明器具１０を地中に埋設するための埋設穴の掘削作業が容易となる。
【００３３】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを包含する。
【符号の説明】
【００３４】
１０…照明器具
１１…埋込本体部
１１ａ…開口部
１２…透光パネル部
１３…環状部材
１４…環状枠体部
１５…パッキン
２１…光源モジュール
２１ａ…ＬＥＤ
２２…光源収容部
２３…反射リフレクター
２４…保護筒体
Ｓ１、Ｓ２…内部空間
【図１】
2019067552.tif 000003
【図２】
2019067552.tif 000004
【図３】
2019067552.tif 000005
【図４】
2019067552.tif 000006